(57)【要約】【課題】１台のフェーズドアレイアンテナによって方位角方向だけでなく仰角方向の捜索ないし追尾が可能とされたフェーズドアレイレーダ装置を提供する。【解決手段】複数の素子アンテナが平面上に並べられて配置され、各素子アンテナから送受信される電波の位相量を変化させて所望方向の目標物を捜索ないし追尾する１台のフェーズドアレイアンテナ本体７と、方位角方向および仰角方向にフェーズドアレイアンテナ本体７の姿勢を制御する姿勢制御手段９とを備えている。姿勢制御手段９は、鉛直軸線Ｖ回りに回転する回転台１４と、下端が回転台１４に対して第１水平軸線Ｈ１回りに回動自由に接続されると共に、他端がフェーズドアレイアンテナ本体７に対して第２水平軸線Ｈ２回りに回動自由に接続されたリンク１６とを備えている。【選択図】図１
2011239078.tif 000002
【特許請求の範囲】
【請求項１】
複数の素子アンテナが平面上に並べられて配置され、前記各素子アンテナから送受信される電波の位相量を変化させて所望方向の目標物を捜索ないし追尾する１台のフェーズドアレイアンテナ本体と、
方位角方向および仰角方向に前記フェーズドアレイアンテナ本体の姿勢を制御する姿勢制御手段と、
を備えていることを特徴とするフェーズドアレイレーダ装置。
【請求項２】
前記姿勢制御手段は、
鉛直軸線回りに回転する回転台と、
該回転台を鉛直軸線回りに回転させる回転台回転駆動部と、
一端が前記回転台に対して水平軸線回りに回動自由に接続されるとともに、他端が前記フェーズドアレイアンテナ本体に接続されたリンクと、
該リンクの前記一端を回動中心として、該リンクの他端が前記回転台に対して接近離間するように、該リンクを駆動するリンク駆動部と、
を備えていることを特徴とする請求項１に記載のフェーズドアレイレーダ装置。
【請求項３】
前記リンクの前記他端が前記フェーズドアレイアンテナ本体に対して水平軸線回りに回動自由に接続され、
前記フェーズドアレイアンテナ本体を前記リンクの前記他端の水平軸線回りに回動させるアンテナ本体回動駆動部を備えていることを特徴とする請求項２に記載のフェーズドアレイレーダ装置。
【請求項４】
前記姿勢制御手段は、
鉛直軸線方向に立設すると共に該鉛直軸線回りに回転する支柱と、
該支柱を鉛直軸線回りに回転させる支柱回転駆動部と、
前記支柱の上端にて前記フェーズドアレイアンテナ本体が少なくとも仰角方向に回動するアンテナ本体回動駆動部と、
を備えていることを特徴とする請求項１に記載のフェーズドアレイレーダ装置。
【請求項５】
請求項１から４のいずれかに記載のフェーズドアレイレーダ装置を備えていることを特徴とする車両。
【発明の詳細な説明】
【技術分野】
【０００１】
本発明は、フェーズドアレイレーダ装置およびこれを備えた車両に関するものである。
【背景技術】
【０００２】
例えば上空を飛行する目標物を捜索し追尾するために、フェーズドアレイレーダ装置が用いられる。フェーズドアレイレーダ装置は、複数の素子アンテナを備え、各素子アンテナから送受信される電波の位相量を変化させて所望方向にビームを発し、目標物を捜索し追尾する。
このようなフェーズドアレイレーダ装置は、特許文献１に開示されている。同文献に記載のフェーズドアレイレーダ装置は、１台のフェーズドアレイアンテナを方位角方向に駆動させることによって、あらゆる方位角方向の捜索ないし追尾が可能となっている。また、同文献の図４に示されているように、平面状のフェーズドアレイアンテナを２台用い、これら２台のフェーズドアレイアンテナの頂部同士を接続して山形状とすることによって、天頂方向を通過する目標物に対しても捜索ないし追尾が可能とされたフェーズドアレイレーダ装置が開示されている。
【先行技術文献】
【特許文献】
【０００３】
【特許文献１】特開平８−９７７５８号公報
【発明の概要】
【発明が解決しようとする課題】
【０００４】
しかし、上記特許文献１に開示されたフェーズドアレイレーダ装置は、１台のフェーズドアレイアンテナを方位角方向に駆動させるだけであり、仰角方向には駆動させるようになっていない。したがって、１台のフェーズドアレイアンテナのみでは天頂方向を通過する目標物を捜索ないし追尾することができない。天頂方向を通過する目標物を捜索ないし追尾する場合には、山形状に接続した２台のフェーズドアレイアンテナを用いることが開示されているが、フェーズドアレイアンテナを２台用いることが前提となっており、これでは装置の重量が増大してしまい、車両に搭載することが困難となる。
【０００５】
本発明は、このような事情に鑑みてなされたものであって、１台のフェーズドアレイアンテナによって方位角方向だけでなく仰角方向の捜索ないし追尾が可能とされたフェーズドアレイレーダ装置およびこれを備えた車両を提供することを目的とする。
【課題を解決するための手段】
【０００６】
上記課題を解決するために、本発明のフェーズドアレイレーダ装置およびこれを備えた車両は以下の手段を採用する。
すなわち、本発明にかかるフェーズドアレイレーダ装置は、複数の素子アンテナが平面上に並べられて配置され、前記各素子アンテナから送受信される電波の位相量を変化させて所望方向の目標物を捜索ないし追尾する１台のフェーズドアレイアンテナ本体と、方位角方向および仰角方向に前記フェーズドアレイアンテナ本体の姿勢を制御する姿勢制御手段とを備えていることを特徴とする。
【０００７】
方位角方向だけでなく仰角方向にもフェーズドアレイアンテナ本体の姿勢を制御できるので、あらゆる方位角方向に対して、鉛直方向（天頂方向）も含めた高仰角から低仰角まで対処することができる。このように、フェーズドアレイアンテナ本体を複数設ける必要が無く、１台のみで目標物を捜索ないし追尾することができる。
【０００８】
さらに、本発明のフェーズドアレイレーダ装置の前記姿勢制御手段は、鉛直軸線回りに回転する回転台と、該回転台を鉛直軸線回りに回転させる回転台回転駆動部と、一端が前記回転台に対して水平軸線回りに回動自由に接続されるとともに、他端が前記フェーズドアレイアンテナ本体に接続されたリンクと、前記リンクの前記一端を回動中心として、該リンクの他端が前記回転台に対して接近離間するように、該リンクを駆動するリンク駆動部とを備えていることを特徴とする。
【０００９】
さらに、前記リンクの前記他端が前記フェーズドアレイアンテナ本体に対して水平軸線回りに回動自由に接続され、前記フェーズドアレイアンテナ本体を前記リンクの前記他端の水平軸線回りに回動させるアンテナ本体回動駆動部を備えていても良い。
【００１０】
回転台駆動部によって、回転台が鉛直軸線回りに回転するので、フェーズドアレイアンテナ本体を方位角方向に姿勢制御することができる。リンク駆動部によって、リンクの一端を回動中心としてリンクを回動するので、リンクの他端に接続されたフェーズドアレイアンテナ本体を仰角方向に姿勢制御することができる。
さらに、アンテナ本体回動駆動部を備えている場合には、フェーズドアレイアンテナ本体をリンクの他端回りに回動するので、フェーズドアレイアンテナ本体を仰角方向に姿勢制御することができる。
また、リンク駆動部によって、リンクの一端を回動中心としてリンクの他端を回転台に対して接近離間するようにリンクを駆動するので、フェーズドアレイアンテナ本体の高さ位置を調節することができる。これにより、目標物の位置に応じてフェーズドアレイアンテナ本体を適切な姿勢に位置決めすることができる。
また、リンクの一端を回動中心として、リンクの他端が回転台に対して接近離間するように、リンクを駆動することにより、フェーズドアレイアンテナ本体の高さ位置を調整することができるため、フェーズドアレイレーダ装置の移動時にはフェーズドアレイアンテナ本体をたたみ、収容することができる。
なお、フェーズドアレイアンテナ本体に接続されるリンクの他端は、回動させずに固定する構成としても良いし、回動させる構成としても良い。
【００１１】
さらに、本発明のフェーズドアレイレーダ装置の前記姿勢制御手段は、鉛直軸線方向に立設すると共に該鉛直軸線回りに回転する支柱と、該支柱を鉛直軸線回りに回転させる支柱回転駆動部と、前記支柱の上端にて前記フェーズドアレイアンテナ本体が少なくとも仰角方向に回動するアンテナ本体回動駆動部とを備えていることを特徴とする。
【００１２】
支柱回転駆動部によって、支柱が鉛直軸線回りに回転するので、フェーズドアレイアンテナ本体を方位角方向に姿勢制御することができる。アンテナ本体回動駆動部によって、フェーズドアレイアンテナ本体を少なくとも仰角方向に回動するので、フェーズドアレイアンテナ本体を仰角方向に姿勢制御することができる。
なお、アンテナ本体回動駆動部は、フェーズドアレイアンテナ本体を鉛直軸線回りに駆動する機能を備えても良く、これにより、フェーズドアレイアンテナ本体を方位角方向に姿勢制御しても良い。
また、支柱の下端は、水平軸線周りに回転自由に接続されても良く、これにより移動時にはフェーズドアレイアンテナ本体をたたみ、収容可能としても良い。
【００１３】
また、本発明の車両は、上述のいずれかに記載のフェーズドアレイレーダ装置を備えていることを特徴とする。
【００１４】
上記のいずれかのフェーズドアレイレーダ装置は、方位角方向および仰角方向にフェーズドアレイアンテナ本体の姿勢を制御できるので、１台のみのフェーズドアレイアンテナ本体で足りる。したがって、フェーズドアレイレーダ装置を軽量化できるので、車両に装備させることができる。
【発明の効果】
【００１５】
本発明によれば、方位角方向だけでなく仰角方向にもフェーズドアレイアンテナ本体の姿勢を制御できるので、あらゆる方位に対して、鉛直方向も含めた高仰角から低仰角まで目標物を捜索ないし追尾することができる。
また、フェーズドアレイアンテナ本体を１台のみ用いるので、車両への搭載も可能となる。
【図面の簡単な説明】
【００１６】
【図１】本発明の第１実施形態にかかるフェーズドアレイレーダ装置を備えた車両であり、捜索時の状態を示した斜視図である。
【図２】図１のフェーズドアレイレーダ装置を備えた車両の追尾時の状態を示した斜視図である。
【図３】本発明の第２実施形態にかかるフェーズドアレイレーダ装置を備えた車両を示した斜視図である。
【図４】図３の変形例にかかるフェーズドアレイレーダ装置を備えた車両を示した斜視図である。
【発明を実施するための形態】
【００１７】
以下に、本発明にかかる実施形態について、図面を参照して説明する。
［第１実施形態］
図１及び図２には、本発明の第１実施形態にかかるフェーズドアレイレーダ装置を備えた車両１が示されている。図１は目標物の捜索時の状態を示し、図２は目標物の追尾時の状態を示す。
車両１は、運転席が設けられたキャビン３と、キャビン３の後方に接続された荷台５とを備えている。
荷台５上には、フェーズドアレイレーダ装置が設けられている。フェーズドアレイレーダ装置は、フェーズドアレイアンテナ本体（以下、単に「アンテナ本体」という。）７と、アンテナ本体７の姿勢を制御する姿勢制御手段９とを備えている。
【００１８】
アンテナ本体７は、平板形状とされた筐体１０を有しており、この筐体１０内に複数の素子アンテナ（図示せず）が平面上に並べられて配置されている。筐体１０は、主面１０ａを表面（図１において上面）に有する形状とされている。
各素子アンテナは、図示しない信号制御部に接続されており、この信号制御部によって各素子アンテナから送受信される電波の位相量を変化させるようになっている。この位相量を適宜調整して主面１０ａから出射するビームを任意方向に走査することによって、目標物を捜索ないし追尾する。フェーズドアレイレーダの方式としては、各素子アンテナに位相変換器がそれぞれ設けられ、１つの電波送受信機から分配された電波を各素子アンテナに応じて位相を変化させるパッシブ式が好適に用いられる。もちろん、素子アンテナのそれぞれに電波送受信機が実装されているアクティブ式を用いても良い。
【００１９】
姿勢制御手段９は、鉛直軸線Ｖ回りに回転する回転台１４と、回転台１４とアンテナ本体７とを接続するリンク１６とを備えている。
回転台１４は、荷台５上に設置され、図示しない回転台駆動部によって鉛直軸線Ｖ回りに回転させられるようになっている。
リンク１６は、本実施形態では２つ設けられており、アンテナ本体７及び回転台１４の両側辺のそれぞれに設けられている。各リンク１６の下端（一端）は、回転台１４の側辺の一端側に接続されており、第１水平軸線Ｈ１回りに回動自由となっている。各リンク１６の上端（他端）は、アンテナ本体７の側辺の長手方向における略中央部に接続されており、第２水平軸線Ｈ２回りに回動自由となっている。
回転台１４とアンテナ本体７との間には、図示しないが、リンク１６の下端の第１水平軸線Ｈ１を回動中心としてリンク１６の上端が回転台１４に対して接近離間するようにリンク１６を駆動するリンク駆動部が設けられている。
また、図示しないが、アンテナ本体７をリンク１６の上端の第２水平軸線Ｈ２回りに回動させるアンテナ本体回動駆動部が設けられている。
上述した回転台駆動部、リンク駆動部、アンテナ本体回転駆動部は、姿勢制御部（図示せず）からの指令によって、例えば目標物の位置に応じて駆動される。
【００２０】
フェーズドアレイレーダ装置は、目標物を捜索する捜索機能及び目標物を追尾する追尾機能を有している。捜索機能とは、フェーズドアレイレーダ装置が送信する電波の送信範囲を広げ、該電波を送信する方向を連続的に変化させることで、未だ検知されていない飛しょう体等の目標物を検知する機能である。一方、追尾機能とは、目標物を検知した後に、電波の送信方向を目標物の方向に定め、かつ電波の送信範囲を狭めて目標物の検知精度を高めることで、目標物を追跡する機能である。
【００２１】
次に、上記構成のフェーズドアレイレーダ装置を備えた車両１の使用方法について説明する。
車両１は、目標物の捜索ないし追尾に適した位置まで自走し、停止する。この停止位置にて、目標物の捜索ないし追尾を行う。なお、車両１の移動時は、アンテナ本体７を下方へと移動させてたたみ、収容することが好ましい。
高高度の目標物の捜索動作時は、上空の天頂方向（鉛直方向）を含む広い範囲で捜索が要求されるので、図１に示すように、アンテナ本体７の主面１０ａを天頂方向に向けて略水平となるように位置決めする。アンテナ本体７の方位角方向は、回転台１４を鉛直軸線Ｖ回りに回転することによって決定される。また、アンテナ本体７の仰角方向は、リンク駆動部によるリンク１６の第１水平軸線Ｈ１回りの回動角度と、アンテナ本体回動駆動部によるアンテナ本体の水平軸線Ｈ２回りの回動角度によって決定される。
低高度の目標物の捜索動作時は、アンテナ本体７の主面１０ａが立ち上がった状態の姿勢で位置決めされる。
そして、信号制御部（図示せず）によって各素子アンテナから送受信される電波の位相量を変化させてビームを任意方向に走査することによって、目標物を捜索する。
【００２２】
目標物がフェーズドアレイレーダ装置によって発見されると、次に追尾動作が行われる。追尾動作では、アンテナ本体７から発するビームによって目標物を補足し続けるように、各素子アンテナの位相量と、アンテナ本体７の姿勢が制御される。
図２に示すように、低仰角となった場合でも目標物を追尾できるように、アンテナ本体７の主面１０ａが立ち上がった状態の姿勢で位置決めされる。この追尾動作の場合も、アンテナ本体７の方位角方向は、回転台１４を鉛直軸線Ｖ回りに回転することによって決定される。また、アンテナ本体７の仰角方向は、リンク駆動部によるリンク１６の第１水平軸線Ｈ１回りの回動角度と、アンテナ本体回動駆動部によるアンテナ本体の水平軸線Ｈ２回りの回動角度によって決定される。追尾動作では、リンク駆動部によってリンク１６を鉛直方向に立ち上がるように動作させ、かつ、アンテナ本体回動駆動部によってアンテナ本体７の主面１０ａが鉛直方向に沿うように動作させる。
【００２３】
本実施形態によれば、以下の作用効果を奏する。
方位角方向だけでなく仰角方向にもアンテナ本体７の姿勢を制御できるので、あらゆる方位角方向に対して、鉛直方向（天頂方向）も含めた高仰角から低仰角まで対処することができる。このように、アンテナ本体７を複数設ける必要が無く、１台のみで目標物を捜索ないし追尾することができる。
【００２４】
回転台駆動部によって、回転台１４が鉛直軸線Ｖ回りに回転するので、アンテナ本体７を方位角方向に姿勢制御することができる。また、アンテナ本体回動駆動部によって、アンテナ本体７をリンク１６の上端の第２水平軸線Ｈ２回りに回動するので、アンテナ本体７を仰角方向に姿勢制御することができる。
【００２５】
さらに、リンク駆動部によって、リンク１６の下端の第１水平軸線Ｈ１を回動中心としてリンク１６の上端を回転台１４に対して接近離間するようにリンク１６を駆動するので、アンテナ本体７の高さ位置を調節することができる。これにより、目標物の位置に応じてアンテナ本体７を適切な姿勢に位置決めすることができる。
【００２６】
１台のみのアンテナ本体７で方位角方向および仰角方向に対処することとしたので、フェーズドアレイレーダ装置を軽量化でき、車両１に装備させることができる。
【００２７】
なお、本実施形態では、アンテナ本体７がリンク１６の上端にて回動自由とする構成としたが、アンテナ本体７をリンク１６に対して回動しないように固定した構造としてもよい。このような構成であっても、リンク１６の下端を回動させることによって、アンテナ本体１６の主面１０ａの向きを高仰角から低仰角まで対応させることができる。
【００２８】
［第２実施形態］
次に、本発明の第２実施形態について、図３を用いて説明する。本実施形態は、第１実施形態に対して、アンテナ本体７の姿勢制御手段の構成が異なり、その他は同様である。したがって、共通する構成については同一符号を付し、その説明を省略する。
本実施形態の姿勢制御手段９’は、円板状とされた回転台１４’（支柱回転駆動部）上に固定された支柱２０を備えている。支柱２０は、回転台１４’の略中心に下端が固定され、鉛直軸線Ｖ方向に立設されている。回転台１４’は、車両１の荷台５上に設置され、図示しない回転台駆動部によって鉛直軸線Ｖ回りに回転させられるようになっている。
支柱２０の上端には、ボールジョイント２２を介して、アンテナ本体７が接続されている。ボールジョイント２２は、アンテナ本体７の略中心に接続されている。アンテナ本体７は、ボールジョイント２２によって、支柱２０に対して方位角方向および仰角方向に回動自由とされている。図示しないが、アンテナ本体７は、アンテナ本体回動駆動部によって、方位角方向および仰角方向に回動させられるようになっている。アンテナ本体回動駆動部は、姿勢制御部（図示せず）からの指令によって、例えば目標物の位置に応じて駆動される。
【００２９】
本実施形態によれば、捜索時には、アンテナ本体回動駆動部によってボールジョイント２２を介してアンテナ本体７の主面１０ａが略水平方向に向くように位置させる。追尾時には、アンテナ本体回動駆動部によってアンテナ本体７の主面１０ａが鉛直方向に立ち上がるように（図３の姿勢参照）位置させる。方位角方向については、回転台駆動部およびアンテナ本体回動駆動部によって制御される。
【００３０】
以上の通り、本実施形態によれば、支柱回転駆動部によって、支柱２０が鉛直軸線Ｖ回りに回転するので、アンテナ本体７を方位角方向に姿勢制御することができる。また、アンテナ本体回動駆動部によって、アンテナ本体７を仰角方向に回動するので、アンテナ本体７を仰角方向に姿勢制御することができる。
【００３１】
なお、本実施形態において、支柱２０の下端を水平軸線周りに回転自由とし、支柱２０の上端が起倒するようにして良い。これにより、車両１の移動時にはアンテナ本体７を下方へと移動させてたたみ、収容可能としても良い。
【００３２】
［第２実施形態の変形例］
なお、図４に示すように、図３のボールジョイント２２に代えて、第３水平軸線Ｈ３回りにのみ回動自由とされたヒンジ部２６を設けても良い。このヒンジ部２６の回動によってアンテナ本体７の仰角が調節される。この場合、アンテナ本体７の方位角は、回転台１４’の回転角のみによって決定される。
図４のような変形例とすれば、１軸（第３水平軸線Ｈ３）回りにのみに回動を許容するヒンジ部２６によって仰角方向の回動が可能となるので、ボールジョイント２２を採用する場合に比べ、簡易な構成にて仰角方向の調節が可能となる。
【符号の説明】
【００３３】
１  車両
７  フェーズドアレイアンテナ本体
９，９’  姿勢制御手段
１４，１４’  回転台
１６  リンク
２０  支柱
【図１】
2011239078.tif 000003
【図２】
2011239078.tif 000004
【図３】
2011239078.tif 000005
【図４】
2011239078.tif 000006